(57)【要約】      （修正有）【課題】表示部に表示される背景画像における所定部分が針によって見にくくなってしまうことを防止することができる時計を提供する。【解決手段】時計は、文字盤を含む背景画像３２を表示する表示部３０と、表示部３０を制御する制御部とを備えており、制御部は、針２０が表示部３０に表示される背景画像３２における所定部分（具体的には、特定情報表示部分３４）に重なるような所定の時刻となったときに背景画像３２の表示態様を変更するよう表示部３０を制御するようになっている。【選択図】図５
2018004375.tif 000002
【特許請求の範囲】
【請求項１】
現在の時刻を示すための針と、
現在の時刻に合わせて前記針を移動させる駆動部と、
文字盤を含む背景画像を表示する表示部と、
前記表示部を制御する制御部と、
を備え、
前記制御部は、前記針が前記表示部に表示される前記背景画像における所定部分に重なるような所定の時刻となったときに前記背景画像の表示態様を変更するよう前記表示部を制御する、時計。
【請求項２】
前記制御部は、前記針が前記表示部に表示される前記背景画像における前記所定部分に重なるような所定の時刻となったときに、前記表示部に表示される前記背景画像における前記所定部分の位置をずらすよう前記表示部を制御する、請求項１記載の時計。
【請求項３】
現在の時刻を示すための針、および文字盤を含む背景画像を表示する表示部と、
現在の時刻に合わせて前記表示部に表示される前記針の位置を調整するよう前記表示部を制御する制御部と、
を備え、
前記制御部は、前記表示部における表示内容において前記針が前記背景画像における所定部分に重なるような所定の時刻となったときに、前記針または前記背景画像の表示態様を変更するよう前記表示部を制御する、時計。
【請求項４】
前記制御部は、前記表示部における表示内容において前記針が前記背景画像における前記所定部分に重なるような所定の時刻となったときに前記表示部に表示される前記背景画像における前記所定部分の位置をずらすよう前記表示部を制御する、請求項３記載の時計。
【請求項５】
前記背景画像における前記所定部分は、少なくとも現在の日付または曜日に関する情報を表示する部分である、請求項１乃至４のいずれか一項に記載の時計。
【請求項６】
前記表示部は液晶パネルまたはタッチパネルを含む、請求項１乃至５のいずれか一項に記載の時計。
【発明の詳細な説明】
【技術分野】
【０００１】
本発明は、腕時計や置き時計等の時計に関する。
【背景技術】
【０００２】
従来から、現在の時刻を示すための長針や短針を設けるとともに、文字盤を液晶パネルに表示させる時計として例えば特許文献１に開示されるものが知られている。また、近年では、文字盤とともに長針や短針も液晶パネルに表示される時計が用いられる場合がある。
【先行技術文献】
【特許文献】
【０００３】
【特許文献１】特開２００５−２３３６１６号公報
【発明の概要】
【発明が解決しようとする課題】
【０００４】
文字盤を液晶パネルに表示させる時計において、液晶パネルに現在の日付や曜日に関する情報を表示させる場合がある。しかしながら、このような現在の日付や曜日が液晶パネルに表示される場合には、長針や短針がこれらの日付や曜日の表示部分に重なってしまったときに、液晶パネルに表示される日付や曜日が見にくくなってしまうという問題がある。
【０００５】
本発明は、このような点を考慮してなされたものであり、表示部に表示される背景画像における所定部分が針によって見にくくなってしまうことを防止することができる時計を提供することを目的とする。
【課題を解決するための手段】
【０００６】
本発明の時計は、現在の時刻を示すための針と、現在の時刻に合わせて前記針を移動させる駆動部と、文字盤を含む背景画像を表示する表示部と、前記表示部を制御する制御部と、を備え、前記制御部は、前記針が前記表示部に表示される前記背景画像における所定部分に重なるような所定の時刻となったときに前記背景画像の表示態様を変更するよう前記表示部を制御することを特徴とする。
【０００７】
このような時計によれば、現在の時刻を示すための長針や短針等の針が、表示部に表示される背景画像における所定部分に重なるような所定の時刻となったときに、背景画像の表示態様を変更することにより、表示部に表示される背景画像における所定部分が針によって見にくくなってしまうことを防止することができる。
【０００８】
上記の時計においては、前記制御部は、前記針が前記表示部に表示される前記背景画像における前記所定部分に重なるような所定の時刻となったときに、前記表示部に表示される前記背景画像における前記所定部分の位置をずらすよう前記表示部を制御するようになっていてもよい。
【０００９】
本発明の時計は、現在の時刻を示すための針、および文字盤を含む背景画像を表示する表示部と、現在の時刻に合わせて前記表示部に表示される前記針の位置を調整するよう前記表示部を制御する制御部と、を備え、前記制御部は、前記表示部における表示内容において前記針が前記背景画像における所定部分に重なるような所定の時刻となったときに、前記針または前記背景画像の表示態様を変更するよう前記表示部を制御することを特徴とする。
【００１０】
このような時計によれば、表示部における表示内容において、現在の時刻を示すための長針や短針等の針が、背景画像における所定部分に重なるような所定の時刻となったときに、背景画像の表示態様を変更することにより、表示部に表示される背景画像における所定部分が針によって見にくくなってしまうことを防止することができる。
【００１１】
上記の時計においては、前記制御部は、前記表示部における表示内容において前記針が前記背景画像における前記所定部分に重なるような所定の時刻となったときに前記表示部に表示される前記背景画像における前記所定部分の位置をずらすよう前記表示部を制御するようになっていてもよい。
【００１２】
上記の時計においては、前記背景画像における前記所定部分は、少なくとも現在の日付または曜日に関する情報を表示する部分であってもよい。
【００１３】
上記の時計においては、前記表示部は液晶パネルまたはタッチパネルを含んでいてもよい。
【発明の効果】
【００１４】
本発明の時計によれば、表示部に表示される背景画像における所定部分が針によって見にくくなってしまうことを防止することができる。
【図面の簡単な説明】
【００１５】
【図１】本発明の実施の形態による時計の構成を示す斜視図である。
【図２】図１に示す時計における制御系の構成を示す機能ブロック図である。
【図３】図１に示す時計における短針や長針等の針および表示部に表示される表示内容を示す図である。
【図４】従来の時計における短針や長針等の針および表示部に表示される表示内容を示す図である。
【図５】本発明の実施の形態による時計における短針や長針等の針および表示部に表示される表示内容を示す図である。
【図６】本発明の実施の形態による他の構成の時計における表示部に表示される表示内容を示す図である。
【発明を実施するための形態】
【００１６】
以下、図面を参照して本発明の実施の形態について説明する。図１乃至図６は、本実施の形態に係る時計を示す図である。このうち、図１は、本実施の形態による時計の構成を示す斜視図であり、図２は、図１に示す時計における制御系の構成を示す機能ブロック図であり、図３は、図１に示す時計における短針や長針等の針および表示部に表示される表示内容を示す図である。また、図４は、従来の時計における短針や長針等の針および表示部に表示される表示内容を示す図であり、図５は、本実施の形態による時計における短針や長針等の針および表示部に表示される表示内容を示す図である。また、図６は、本実施の形態による他の構成の時計における表示部に表示される表示内容を示す図である。
【００１７】
図１に示すように、本実施の形態による時計１０は、ベルトによって手首に巻くことで携帯できる腕時計である。なお、本実施の形態による時計１０は腕時計に限定されることはなく、置き時計や掛け時計等の、腕時計以外の時計が本実施の形態による時計１０として用いられてもよい。
【００１８】
図１および図３に示すように、本実施の形態による時計１０には、短針２２、長針２４および秒針２６を含む針２０が設けられており、このような針２０により現在の時刻が示されるようになっている。また、図２に示すように、本実施の形態による時計１０は、現在の時刻に合わせて針２０を移動させるステッピングモータ等の駆動部２８と、液晶パネルやタッチパネルから構成される表示部３０と、外部装置（具体的には、例えば外部に設けられたサーバ）から無線で送られた信号を受信する通信部４０と、少なくとも表示部３０の制御を行う制御部５０とを備えている。ここで、図３に示すように、表示部３０は、文字盤を含む背景画像３２を表示するようになっている。また、表示部３０に表示される背景画像３２には、現在の日付および曜日に関する情報を表示する特定情報表示部分３４が含まれるようになっている。また、表示部３０は、短針２２、長針２４および秒針２６を含む針２０の裏側に設けられている。このため、表示部３０に表示される文字盤を含む背景画像３２は、針２０によりその一部が隠れるようになる。
【００１９】
ここで、本実施の形態による時計１０では、現在の時刻に関する信号を外部装置から通信部４０により受信するようになっており、制御部５０は、通信部４０により受信した情報に基づいて、短針２２、長針２４および秒針２６を含む針２０の位置が現在の時刻に合致するよう駆動部２８を制御するようになっていてもよい。あるいは、駆動部２８は制御部５０により制御されることなく、単に短針２２、長針２４および秒針２６を含む針２０を駆動部２８が等速度で移動させるようになっていてもよい。この場合には、通信部４０の設置が省略されるようになっていてもよい。また、通信部４０は、外部装置から送られた信号を受信するだけではなく、外部装置に信号を無線で送信することができるようになっていてもよい。
【００２０】
また、本実施の形態では、制御部５０は、針２０（具体的には、短針２２または長針２４）が、表示部３０に表示される背景画像３２における特定情報表示部分３４（具体的には、現在の日付や曜日を示す所定部分）に重なるような所定の時刻となったときに、背景画像３２の表示態様を変更するよう表示部３０を制御するようになっている。より詳細には、制御部５０は、針２０が表示部３０に表示される背景画像３２における特定情報表示部分３４に重なるような所定の時刻となったときに、表示部３０に表示される背景画像３２における特定情報表示部分３４の位置をずらすよう表示部３０を制御するようになっている。このような技術的事項について図４および図５を用いて詳述する。
【００２１】
上述したように、表示部３０は針２０の裏側に設けられているため、表示部３０に表示される文字盤を含む背景画像３２は、針２０によりその一部が隠れるようになる。このため、図４に示すように、毎時１５分頃には、背景画像３２における、現在の日付や曜日を示す特定情報表示部分３４は、針２０の長針２４により隠れてしまい、この特定情報表示部分３４の内容が見にくくなってしまう。また、３時頃にも、背景画像３２における特定情報表示部分３４は、針２０の短針２２により隠れてしまい、この特定情報表示部分３４の内容が見にくくなってしまう。このため、本実施の形態では、図５に示すように、現在の時刻が毎時１５分頃になると、背景画像３２における特定情報表示部分３４の表示位置が下にずれるようになっている。このことにより、特定情報表示部分３４が針２０の長針２４により隠れることはなくなり、時計１０の使用者は特定情報表示部分３４の内容を確実に見ることができるようになる。また、本実施の形態では、現在の時刻が３時頃となった場合にも、背景画像３２における特定情報表示部分３４の表示位置が下にずれるようになっている。このことにより、特定情報表示部分３４が針２０の短針２２により隠れることはなくなり、時計１０の使用者は特定情報表示部分３４の内容を確実に見ることができるようになる。
【００２２】
なお、上述したように、制御部５０は、針２０が表示部３０に表示される背景画像３２における特定情報表示部分３４に重なるような所定の時刻となったときに、背景画像３２の表示態様を変更するよう表示部３０を制御するようになっているが、背景画像３２の表示態様を変更する方法は、特定情報表示部分３４の位置をずらすことに限定されることはない。背景画像３２の表示態様を変更する方法として、特定情報表示部分３４が針２０により隠れないようにすることができる方法であれば、特定情報表示部分３４の位置をずらす方法以外の方法が用いられてもよい。
【００２３】
また、本発明に係る時計は、図１乃至図３に示すような構成の時計１０に限定されることはない。本発明に係る時計の別の例として、短針、長針および秒針を含む針が液晶パネルやタッチパネル等の表示部３０に表示されるような態様のものが用いられてもよい。以下、図６を用いてこのような構成の時計１０ａについて説明する。なお、図６に示す時計１０ａを説明するにあたり、図１乃至図３に示す時計１０と同じ構成部材については同じ参照符合を付けてその説明を省略する。
【００２４】
図６に示す時計１０ａでは、短針２２、長針２４および秒針２６を含む針２０や、現在の時刻に合わせて針２０を移動させるステッピングモータ等の駆動部２８は設けられていない。代わりに、液晶パネルやタッチパネルから構成される表示部３０に、短針３６、長針３７および秒針３８を含む針３５が表示されるようになっている。また、図６に示す時計１０ａでも、表示部３０に表示される背景画像３２には、現在の日付および曜日に関する情報を表示する特定情報表示部分３４が含まれるようになっている。また、表示部３０の表示内容において、背景画像３２の一部は、針３５（具体的には、短針３６、長針３７および秒針３８）により隠れるようになっている。
【００２５】
ここで、図６に示す時計１０ａでは、現在の時刻に関する信号を外部装置から通信部４０により受信するようになっており、制御部５０は、通信部４０により受信した情報に基づいて、針３５（具体的には、短針３６、長針３７および秒針３８）の位置が現在の時刻に合致するよう表示部３０を制御するようになっている。あるいは、時計１０ａの内部にタイマーが内蔵されており、このタイマーにより検知される現在の時刻に基づいて針３５の位置を調整するよう制御部５０が表示部３０を制御するようになっていてもよい。また、通信部４０は、外部装置から送られた信号を受信するだけではなく、外部装置に信号を無線で送信することができるようになっていてもよい。例えば、表示部３０がタッチパネルから構成されている場合には、時計１０ａの使用者によってタッチパネルに入力された内容が通信部４０により外部装置に無線で送信されるようになっていてもよい。
【００２６】
また、図６に示す時計１０ａでは、制御部５０は、表示部３０における表示内容において短針３６や長針３７が背景画像３２における特定情報表示部分３４（具体的には、現在の日付や曜日を示す所定部分）に重なるような所定の時刻となったときに、短針３６や長針３７または背景画像３２の表示態様を変更するよう表示部３０を制御するようになっている。より詳細には、制御部５０は、表示部３０における表示内容において短針３６や長針３７が背景画像３２における特定情報表示部分３４に重なるような所定の時刻となったときに、表示部３０に表示される背景画像３２における特定情報表示部分３４の位置をずらすよう表示部３０を制御するようになっている。このような技術的事項について以下に詳述する。
【００２７】
上述したように、表示部３０の表示内容において、背景画像３２の一部は、針３５（具体的には、短針３６、長針３７および秒針３８）により隠れるようになっている。このため、毎時１５分頃には、背景画像３２における、現在の日付や曜日を示す特定情報表示部分３４は、表示部３０に表示される長針３７により隠れてしまい、この特定情報表示部分３４の内容が見にくくなってしまう。また、３時頃にも、背景画像３２における特定情報表示部分３４は、表示部３０に表示される短針３６により隠れてしまい、この特定情報表示部分３４の内容が見にくくなってしまう。このため、図６に示す時計１０ａでは、現在の時刻が毎時１５分頃になると、背景画像３２における特定情報表示部分３４の表示位置が下にずれるようになっている。このことにより、特定情報表示部分３４が長針３７により隠れることはなくなり、特定情報表示部分３４の内容を確実に見ることができるようになる。また、図６に示す時計１０ａでは、現在の時刻が３時頃となった場合にも、背景画像３２における特定情報表示部分３４の表示位置が下にずれるようになっている。このことにより、特定情報表示部分３４が短針３６により隠れることはなくなり、時計１０ａの使用者は特定情報表示部分３４の内容を確実に見ることができるようになる。
【００２８】
なお、上述したように、制御部５０は、表示部３０における表示内容において短針３６や長針３７が背景画像３２における特定情報表示部分３４に重なるような所定の時刻となったときに、短針３６や長針３７または背景画像３２の表示態様を変更するよう表示部３０を制御するようになっているが、短針３６や長針３７または背景画像３２の表示態様を変更する方法は、特定情報表示部分３４の位置をずらすことに限定されることはない。他の方法として、例えば、表示部３０における表示内容において短針３６や長針３７が背景画像３２における特定情報表示部分３４に重なるような所定の時刻となったときに、短針３６や長針３７が例えば半透明にスケルトン表示されるようになっていてもよい。この場合には、特定情報表示部分３４の位置をずらさなくても、時計１０ａの使用者は特定情報表示部分３４の内容を確実に見ることができるようになる。
【００２９】
以上のように、図１乃至図３に示すような本実施の形態の時計１０によれば、文字盤を含む背景画像３２を表示する表示部３０は制御部５０により制御されるようになっており、制御部５０は、針２０が表示部３０に表示される背景画像３２における所定部分（具体的には、特定情報表示部分３４）に重なるような所定の時刻となったときに背景画像３２の表示態様を変更するよう表示部３０を制御するようになっている。このことにより、表示部３０に表示される背景画像３２における所定部分が針２０によって見にくくなってしまうことを防止することができる。
【００３０】
また、本実施の形態の時計１０においては、上述したように、制御部５０は、針２０が表示部３０に表示される背景画像３２における所定部分に重なるような所定の時刻となったときに、表示部３０に表示される背景画像３２における所定部分の位置をずらすよう表示部３０を制御するようになっている。この場合には、表示部３０に表示される背景画像３２における所定部分の位置が針２０からずれるようになるため、使用者は背景画像３２における所定部分の内容を確実に見ることができるようになる。
【００３１】
また、図６に示すような時計１０ａによれば、現在の時刻を示すための針３５（具体的には、短針３６、長針３７および秒針３８）、および文字盤を含む背景画像３２を表示する表示部３０は制御部５０により制御されるようになっており、制御部５０は、現在の時刻に合わせて表示部３０に表示される針３５の位置を調整するよう表示部３０を制御するようになっている。また、制御部５０は、表示部３０における表示内容において針３５（具体的には、短針３６や長針３７）が背景画像３２における所定部分（具体的には、特定情報表示部分３４）に重なるような所定の時刻となったときに、針３５または背景画像３２の表示態様を変更するよう表示部３０を制御するようになっている。このことにより、表示部３０に表示される背景画像３２における所定部分が針３５によって見にくくなってしまうことを防止することができる。
【００３２】
また、図６に示すような時計１０ａにおいては、上述したように、制御部５０は、表示部３０における表示内容において針３５が背景画像３２における所定部分に重なるような所定の時刻となったときに表示部３０に表示される背景画像３２における所定部分の位置をずらすよう表示部３０を制御するようになっている。この場合には、表示部３０に表示される背景画像３２における所定部分の位置が針３５からずれるようになるため、使用者は背景画像３２における所定部分の内容を確実に見ることができるようになる。
【００３３】
また、上述した時計１０、１０ａにおいては、上述したように、背景画像３２における所定部分（具体的には、特定情報表示部分３４）は、少なくとも現在の日付または曜日に関する情報を表示する部分となっている。なお、本実施の形態では、背景画像３２における所定部分は、現在の日付または曜日に関する情報を表示する部分に限定されることはない。背景画像３２における所定部分に、現在の日付や曜日以外の情報（例えば、現在が何月であるかという情報や、その他の使用者にとって有用な情報）が表示されるようになっていてもよい。
【００３４】
また、本実施の形態の時計１０、１０ａにおいては、上述したように、表示部３０は液晶パネルまたはタッチパネルを含むようになっている。なお、本実施の形態では、表示部３０は液晶パネルやタッチパネルに限定されることはない。表示部３０として、液晶パネルやタッチパネル以外のものが用いられてもよい。
【００３５】
なお、本実施の形態による時計１０、１０ａは、上述したような態様に限定されることはなく、様々な変更を加えることができる。
【００３６】
例えば、図１乃至図３に示すような時計１０において、針２０は、短針２２、長針２４および秒針２６の全てを含むものに限定されることはない。針２０として、短針２２、長針２４および秒針２６のうち少なくともいずれか一つのものが用いられるようになっていてもよい。また、図６に示すような時計１０ａにおいて、表示部３０に表示される針３５は、短針３６、長針３７および秒針３８の全てを含むものに限定されることはない。表示部３０に、短針３６、長針３７および秒針３８のうち少なくともいずれか一つのものが針３５として表示されるようになっていてもよい。
【００３７】
また、図１乃至図３に示すような時計１０において、表示部３０に表示される背景画像３２における所定部分（具体的には、特定情報表示部分３４）に針２０が重なったときにこのことを物理的に検知する検知センサ等の第１検知手段（図示せず）が設けられていてもよい。この場合には、表示部３０に表示される背景画像３２における所定部分に針２０が重なったことが第１検知手段によって検知されたときに、制御部５０は背景画像３２の表示態様を変更するよう表示部３０を制御するようになる。また、図６に示すような時計１０ａにおいて、表示部３０に表示される背景画像３２における所定部分（具体的には、特定情報表示部分３４）に針３５が重なったときにこのことを演算により検知する第２検知手段（図示せず）が設けられていてもよい。この場合には、表示部３０に表示される背景画像３２における所定部分に針３５が重なったことが第２検知手段によって検知されたときに、制御部５０は針３５または背景画像３２の表示態様を変更するよう表示部３０を制御するようになる。
【符号の説明】
【００３８】
１０、１０ａ  時計
２０  針
２２  短針
２４  長針
２６  秒針
２８  駆動部
３０  表示部
３２  背景画像
３４  特定情報表示部分
３５  針
３６  短針
３７  長針
３８  秒針
４０  通信部
５０  制御部
【図１】
2018004375.tif 000003
【図２】
2018004375.tif 000004
【図３】
2018004375.tif 000005
【図４】
2018004375.tif 000006
【図５】
2018004375.tif 000007
【図６】
2018004375.tif 000008
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
現在の時刻を示すための針、および文字盤を含む背景画像を表示する表示部と、
現在の時刻に合わせて前記表示部に表示される前記針の位置を調整するよう前記表示部を制御する制御部と、
を備え、
前記制御部は、前記表示部における表示内容において前記針が前記背景画像における所定部分に重なるような所定の時刻となったときに、前記針の表示態様を変更するよう前記表示部を制御する、時計。
【請求項２】
前記制御部は、前記表示部における表示内容において前記針が前記背景画像における前記所定部分に重なるような所定の時刻となったときに前記表示部に表示される前記針が半透明に表示されるよう前記表示部を制御する、請求項１記載の時計。
【請求項３】
前記背景画像における前記所定部分は、少なくとも現在の日付または曜日に関する情報を表示する部分である、請求項１または２記載の時計。
【請求項４】
前記表示部は液晶パネルまたはタッチパネルを含む、請求項１乃至３のいずれか一項に記載の時計。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明の時計は、現在の時刻を示すための針、および文字盤を含む背景画像を表示する表示部と、現在の時刻に合わせて前記表示部に表示される前記針の位置を調整するよう前記表示部を制御する制御部と、を備え、前記制御部は、前記表示部における表示内容において前記針が前記背景画像における所定部分に重なるような所定の時刻となったときに、前記針の表示態様を変更するよう前記表示部を制御することを特徴とする。
【手続補正６】
【補正対象書類名】明細書
【補正対象項目名】００１０
【補正方法】変更
【補正の内容】
【００１０】
このような時計によれば、表示部における表示内容において、現在の時刻を示すための長針や短針等の針が、背景画像における所定部分に重なるような所定の時刻となったときに、針の表示態様を変更することにより、表示部に表示される背景画像における所定部分が針によって見にくくなってしまうことを防止することができる。
【手続補正７】
【補正対象書類名】明細書
【補正対象項目名】００１１
【補正方法】変更
【補正の内容】
【００１１】
上記の時計においては、前記制御部は、前記表示部における表示内容において前記針が前記背景画像における前記所定部分に重なるような所定の時刻となったときに前記表示部に表示される前記針が半透明に表示されるよう前記表示部を制御するようになっていてもよい。
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
現在の時刻を示すための針を表示するとともに文字盤を含む背景画像を表示する表示部と、
現在の時刻に合わせて前記表示部に表示される前記針の位置を調整するよう前記表示部を制御する制御部と、
を備え、
前記制御部は、前記表示部における表示内容において前記針が前記背景画像における所定部分に重なるような所定の時刻となったときに、前記表示部に表示される前記針が前記背景画像における前記所定部分から退避することなく半透明に表示されるよう前記表示部を制御する、時計。
【請求項２】
前記背景画像における前記所定部分は、少なくとも現在の日付または曜日に関する情報を表示する部分である、請求項１記載の時計。
【請求項３】
前記表示部は液晶パネルまたはタッチパネルを含む、請求項１または２記載の時計。
【手続補正２】
【補正対象書類名】明細書
【補正対象項目名】０００９
【補正方法】変更
【補正の内容】
【０００９】
本発明の時計は、現在の時刻を示すための針を表示するとともに文字盤を含む背景画像を表示する表示部と、現在の時刻に合わせて前記表示部に表示される前記針の位置を調整するよう前記表示部を制御する制御部と、を備え、前記制御部は、前記表示部における表示内容において前記針が前記背景画像における所定部分に重なるような所定の時刻となったときに、前記表示部に表示される前記針が前記背景画像における前記所定部分から退避することなく半透明に表示されるよう前記表示部を制御することを特徴とする。
【手続補正３】
【補正対象書類名】明細書
【補正対象項目名】００１１
【補正方法】削除
【補正の内容】